(57)【要約】【課題】ドレンをオープンタンクに逃す場合に発生する振動や騒音を低減できるクローズドタイプのドレン回収システムを提供すること。【解決手段】ドレン回収システム１は、ボイラ１０と、ドレンタンク２０と、負荷機器４０とドレンタンク２０とを接続するドレン回収ラインＬ２と、ドレンタンク２０に収容されたドレンを送出するドレン供給ラインＬ３と、ドレン供給ラインＬ３に配置されるドレンポンプ３１と、オープンタンク３０と、ドレン供給ラインＬ３におけるドレンポンプ３１の二次側とオープンタンク３０とを接続するドレン逃がしラインＬ８と、ドレン逃がしラインＬ８に配置されるドレン逃がし弁８１と、ドレンタンク２０の水位を測定する水位測定部２５と、水位測定部２５により測定されるドレンタンク２０の水位に基いてドレン逃がし弁８１の開閉を制御する水位制御部１１０と、を備える。【選択図】図１
2016188741.tif 000002
【特許請求の範囲】
【請求項１】
蒸気を生成して負荷機器に供給するボイラと、
前記負荷機器が蒸気を使用することによって凝縮して生じたドレンを大気に開放することなく回収するドレンタンクと、
前記負荷機器と前記ドレンタンクとを接続するドレン回収ラインと、
前記ドレンタンクと前記ボイラとを接続し前記ドレンタンクに収容されたドレンが送出されるドレン供給ラインと、
前記ドレン供給ラインに配置されるドレンポンプと、
大気開放され、前記ボイラに供給する補給水を貯留するオープンタンクと、
前記ドレン供給ラインにおける前記ドレンポンプの二次側と前記オープンタンクとを接続するドレン逃がしラインと、
前記ドレン逃がしラインに配置されるドレン逃がし弁と、
前記ドレンタンクの水位を測定する水位測定部と、
前記水位測定部により測定される前記ドレンタンクの水位に基いて前記ドレン逃がし弁の開閉を制御する水位制御部と、を備えるクローズドタイプのドレン回収システム。
【請求項２】
前記ドレン逃がしラインに配置される流量調整部を更に備える請求項１に記載のドレン回収システム。
【請求項３】
前記流量調整部は、前記ドレン逃がしラインにおける前記ドレン逃がし弁の下流側に配置される請求項２に記載のドレン回収システム。
【請求項４】
前記流量調整部は、オリフィスにより構成される請求項２又は３に記載のドレン回収システム。
【請求項５】
前記流量調整部は、圧力調整弁により構成される請求項２又は３に記載のドレン回収システム。
【請求項６】
前記ドレン逃がしラインにおける前記流量調整部の一次側に配置され、該ドレン逃がしラインの一次側におけるドレンの圧力を測定するドレン圧力測定部を更に備え、
前記流量調整部は、開度調整可能な流量調整弁により構成され、
前記水位制御部は、前記ドレン圧力測定部により測定されるドレンの圧力に基いて前記流量調整弁の開度を制御する請求項２又は３に記載のドレン回収システム。
【発明の詳細な説明】
【技術分野】
【０００１】
本発明は、ドレン回収システムに関する。より詳細には、負荷機器から排出されるドレンを、大気に開放することなく回収するクローズドタイプのドレン回収システムに関する。
【背景技術】
【０００２】
従来、ボイラによって生成された蒸気を負荷機器に供給し、負荷機器において熱源として使用された蒸気が凝縮して発生するドレンを、耐圧性を有する密閉型のドレンタンクに高温・高圧の状態で回収して、再度ボイラに給水するクローズドタイプのドレン回収システムが提案されている。
【０００３】
このようなドレン回収システムでは、ドレンタンクに貯留されたドレンの量が増加した場合に、負荷機器で発生したドレンをドレンタンクに回収せず、ドレンタンクの一次側から大気開放されたオープンタンク側に逃すドレン逃がしラインが設けられる。このドレン逃がしラインの流路は、ドレンをドレンタンクに回収する場合には閉止されており、ドレンタンクの水位が所定の閾値を超えた場合に開放される（例えば、特許文献１参照）。
【先行技術文献】
【特許文献】
【０００４】
【特許文献１】特開２０１３−２０４９６１号公報
【発明の概要】
【発明が解決しようとする課題】
【０００５】
しかしながら、ドレンタンクの一次側に設けたドレン逃がしラインからドレンを逃がす場合には、負荷機器で発生した高温のドレンをオープンタンクに逃がすため、負荷機器の二次側におけるドレンの圧力と大気圧との差圧に起因して発生したフラッシュ蒸気が急激にオープンタンク側に流入する。そして、この急激に流入するフラッシュ蒸気によって、オープンタンクにおいて大きな振動及び騒音が発生してしまう。このように、オープンタンクにおいて大きな振動が発生すると、ドレン逃がしラインを構成する配管や、この配管の先端部に設けられるノズルを破損してしまうおそれがある。
【０００６】
従って、本発明は、ドレンをオープンタンクに逃す場合に発生する振動や騒音を低減できるクローズドタイプのドレン回収システムを提供することを目的とする。
【課題を解決するための手段】
【０００７】
本発明は、蒸気を生成して負荷機器に供給するボイラと、前記負荷機器が蒸気を使用することによって凝縮して生じたドレンを大気に開放することなく回収するドレンタンクと、前記負荷機器と前記ドレンタンクとを接続するドレン回収ラインと、前記ドレンタンクと前記ボイラとを接続し前記ドレンタンクに収容されたドレンが送出されるドレン供給ラインと、前記ドレン供給ラインに配置されるドレンポンプと、大気開放され、前記ボイラに供給する補給水を貯留するオープンタンクと、前記ドレン供給ラインにおける前記ドレンポンプの二次側と前記オープンタンクとを接続するドレン逃がしラインと、前記ドレン逃がしラインに配置されるドレン逃がし弁と、前記ドレンタンクの水位を測定する水位測定部と、前記水位測定部により測定される前記ドレンタンクの水位に基いて前記ドレン逃がし弁の開閉を制御する水位制御部と、を備えるクローズドタイプのドレン回収システムに関する。
【０００８】
また、ドレン回収システムは、前記ドレン逃がしラインに配置される流量調整部を更に備えることが好ましい。
【０００９】
また、前記流量調整部は、前記ドレン逃がしラインにおける前記ドレン逃がし弁の下流側に配置されることが好ましい。
【００１０】
また、前記流量調整部は、オリフィスにより構成されることが好ましい。
【００１１】
また、前記流量調整部は、圧力調整弁により構成されることが好ましい。
【００１２】
また、ドレン回収システムは、前記ドレン逃がしラインにおける前記流量調整部の一次側に配置され、該ドレン逃がしラインの一次側におけるドレンの圧力を測定するドレン圧力測定部を更に備え、前記流量調整部は、開度調整可能な流量調整弁により構成され、前記水位制御部は、前記ドレン圧力測定部により測定されるドレンの圧力に基いて前記流量調整弁の開度を制御することが好ましい。
【発明の効果】
【００１３】
本発明のドレン回収システムによれば、ドレンをオープンタンクに逃す場合に発生する振動や騒音を低減できる。
【図面の簡単な説明】
【００１４】
【図１】本発明の第１実施形態に係るドレン回収システムの構成を示す図である。
【図２】本発明の第２実施形態に係るドレン回収システムの構成を示す図である。
【発明を実施するための形態】
【００１５】
以下、本発明のドレン回収システムの好ましい各実施形態について、図面を参照しながら説明する。まず、第１実施形態のドレン回収システムについて、図１を参照しながら説明する。第１実施形態は、ドレン回収システムを、負荷機器から排出されるドレンを、大気に開放することなく回収するクローズドタイプのボイラシステム１に適用したものである。
第１実施形態のボイラシステム１は、図１に示すように、ボイラ装置１０と、ドレンタンク２０と、オープンタンク３０と、制御装置１００と、を備える。また、ボイラシステム１は、これらの機器を接続し、蒸気又は水が流通する複数のラインを備える。具体的には、ボイラシステム１は、ラインとして、第１蒸気供給ラインＬ１と、ドレン回収ラインＬ２と、ドレン供給ラインＬ３と、第２蒸気供給ラインＬ４と、フラッシュ蒸気ラインＬ５と、第１補給水ラインＬ６と、ドレン返送ラインＬ７と、ドレン逃がしラインＬ８と、第２補給水ラインＬ９と、を備える。
【００１６】
ボイラ装置１０は、図１に示すように、複数のボイラ１１と、これら複数の貫流ボイラ１１で生成された蒸気が集合される蒸気ヘッダ１２と、貫流ボイラ１１と蒸気ヘッダ１２とを連結する連結管１３と、を備える。
【００１７】
貫流ボイラ１１は、内部に供給された給水を燃焼ガスにより加熱して蒸気を生成する。本実施形態では、貫流ボイラ１１には、後述のドレンタンク２０に回収されたドレンが給水として供給される。
【００１８】
図１に示すように、貫流ボイラ１１で生成された蒸気は、連結管１３を通って蒸気ヘッダ１２に供給される。蒸気ヘッダ１２は、貫流ボイラ１１で生成された蒸気を貯留し、負荷機器４０に供給する。
負荷機器４０は、貫流ボイラ１１で生成された蒸気を熱源として利用し、加熱対象物の直接加熱又は間接加熱を行う。
【００１９】
ドレンタンク２０は、耐圧性を有する圧力容器により構成される。このドレンタンク２０は、貫流ボイラ１１により生成された蒸気が負荷機器４０で利用されることで凝縮して生じたドレンを高温高圧の状態で回収する。ドレンタンク２０には、ドレンタンク２０に回収されたドレンの水位を検出する水位測定部としての水面計２５が配置される。
水面計２５は、筒状の本体２５１と、この本体２５１の内部に配置される複数の電極棒２５２と、を備える。本体２５１は、ドレンタンク２０と同じ位の高さに配置される。本体２５１の上端部はドレンタンク２０の上部に接続され、本体２５１の下端部は、ドレンタンク２０の下部に接続される。これにより、水面計２５（本体２５１）の内部の水位は、ドレンタンク２０の内部の水位と等しくなる。そして、複数の電極棒２５２により、ドレンタンク２０（本体２５１）の水位が検出される。本実施形態では、水面計２５は、４つのそれぞれ異なる高さ（ＨＨ、Ｈ、Ｌ、ＬＬ）の水位を検出可能な４本の電極棒２５２ＨＨ，２５２Ｈ，２５２Ｌ，２５２ＬＬを備える。
【００２０】
オープンタンク３０は、大気に開放されている。このオープンタンク３０は、貫流ボイラ１１に供給される補給水を貯留する。また、オープンタンク３０には、ドレンタンク２０においてドレンから発生したフラッシュ蒸気、及び後述するドレン逃がしラインＬ８を流通するドレンが導入される。
【００２１】
第１蒸気供給ラインＬ１は、蒸気ヘッダ１２と負荷機器４０とを接続し、複数の貫流ボイラ１１で生成された蒸気を負荷機器４０に供給する。
ドレン回収ラインＬ２は、負荷機器４０とドレンタンク２０とを接続し、負荷機器４０で発生したドレンをドレンタンク２０に供給する。このドレン回収ラインＬ２には、スチームトラップ２１、及び逆止弁２２が配置される。
スチームトラップ２１は、ドレン回収ラインＬ２における負荷機器４０の下流側に配置され、負荷機器４０において発生したドレンを排出し、かつ、蒸気の排出を防ぐ。逆止弁２２は、スチームトラップ２１の下流側に配置され、ドレン回収ラインＬ２においてドレンが負荷機器４０側に逆流することを防ぐ。
【００２２】
ドレン供給ラインＬ３は、ドレンタンク２０に収容されたドレンを送出する。本実施形態では、ドレン供給ラインＬ３は、ドレンタンク２０と貫流ボイラ１１とを接続し、ドレンタンク２０に回収されたドレンを複数の貫流ボイラ１１に供給する。ドレン供給ラインＬ３の上流側の端部は、ドレンタンク２０の下部に接続される。また、ドレン供給ラインＬ３の下流側は、複数の貫流ボイラ１１のそれぞれに接続されるように分岐している。ドレン供給ラインＬ３には、ドレンポンプ３１及びドレン供給弁３２が配置される。
【００２３】
ドレンポンプ３１は、ドレン供給ラインＬ３における分岐部分よりも上流側に配置され、ドレンタンク２０から供給されたドレンを昇圧して貫流ボイラ１１側に送り出す。
ドレン供給弁３２は、モータバルブにより構成される。ドレン供給弁３２は、ドレン供給ラインＬ３における分岐部分よりも下流側に、複数の貫流ボイラ１１それぞれに対応して配置される。ドレン供給弁３２は、制御装置１００により開度が調整され、これにより、貫流ボイラ１１に供給されるドレンの量が制御される。
【００２４】
第２蒸気供給ラインＬ４は、蒸気ヘッダ１２とドレンタンク２０とを接続する。この第２蒸気供給ラインＬ４は、貫流ボイラ１１で生成された蒸気をドレンタンク２０に供給し、ドレンタンク２０の内部の圧力を調節する。第２蒸気供給ラインＬ４には、圧力調整弁４１及びモータバルブ４２が配置される。
圧力調整弁４１は、蒸気ヘッダ１２の内部の圧力が所定の圧力を超えた場合に、蒸気をドレンタンク２０側に流通させる。モータバルブ４２は、制御装置１００により開度が調整され、これにより、ドレンタンク２０に供給される蒸気の量が調整され、ドレンタンク２０の内部の圧力が所定圧力となるように制御される。
【００２５】
フラッシュ蒸気ラインＬ５は、ドレンタンク２０とオープンタンク３０とを接続し、ドレンタンク２０で発生したフラッシュ蒸気をオープンタンク３０に排出する。フラッシュ蒸気ラインＬ５の上流側は、２つに分岐しておりそれぞれの端部がドレンタンク２０の上部に接続される。フラッシュ蒸気ラインＬ５における分岐部分の一方には、圧力調整弁５１が配置され、他方には、モータバルブ５２が配置される。
圧力調整弁５１は、ドレンタンク２０の内部の圧力が所定の圧力を超えた場合に、フラッシュ蒸気をオープンタンク３０側に逃がして、ドレンタンク２０の内部の圧力を低下させる。
モータバルブ５２は、制御装置１００からの制御信号に基いて動作し、フラッシュ蒸気ラインＬ５の流路を開閉させる。このモータバルブ５２は、圧力調整弁５１が動作しなかった場合等におけるバックアップとして設けられる。
【００２６】
第１補給水ラインＬ６は、オープンタンク３０とドレンタンク２０とを接続し、オープンタンク３０に貯留された水をドレンタンク２０に供給する。第１補給水ラインＬ６には、第１補給水ポンプ６１が配置されている。
【００２７】
ドレン返送ラインＬ７は、ドレン供給ラインＬ３とドレンタンク２０とを接続する。より具体的には、ドレン返送ラインＬ７の上流側（基端側）の端部は、ドレン供給ラインＬ３におけるドレンポンプ３１とドレン供給弁３２との間に接続される。ドレン返送ラインＬ７の下流側の端部は、ドレンタンク２０の上部に接続されるラインと、ドレンタンク２０の下部に接続されるラインとに分岐している。ドレンタンク２０の上部に接続されるラインには、モータバルブ７２が配置され、ドレンタンク２０の下部に接続されるラインには、オリフィス７１が配置される。
【００２８】
ドレン返送ラインＬ７は、ドレン供給ラインＬ３を流通するドレンの一部又は全部を、ドレンタンク２０に戻す。より詳細には、ドレンタンク２０の下部に接続されるラインからは、ドレンタンク２０の液相部にドレンが循環され、ドレンタンク２０の上部に接続されるラインからは、ドレンタンク２０の気相部にドレンが循環される。このドレン返送ラインＬ７では、液相部に循環されるドレンの流量を、オリフィス７１により調整してドレンタンク２０に貯留されるドレンの温度を均一化させつつ、気相部に循環させるドレンにより、ドレンタンク２０の内部で発生するフラッシュ蒸気を回収している。
【００２９】
ドレン逃がしラインＬ８は、ドレン供給ラインＬ３とオープンタンク３０とを接続する。このドレン逃しラインＬ８は、ドレンタンク２０に回収されるドレンが過剰になった場合（つまり、ドレンタンク２０の水位が高くなった場合）に、ドレンをオープンタンク３０に逃がす。
本実施形態では、ドレン逃がしラインＬ８の上流側は、ドレン供給ラインＬ３におけるドレンポンプ３１の二次側でかつドレン供給弁３２の一次側に接続される。ドレン逃がしラインＬ８の下流側は、オープンタンク３０の上部に接続される。ドレン逃がしラインＬ８には、ドレン逃がし弁８１及び流量調整部としてのオリフィス８２が配置される。
【００３０】
ドレン逃がし弁８１は、制御装置１００からの制御信号に基いて開状態と閉状態とを切り替え可能なモータバルブ又は電磁弁により構成される。ドレン逃がし弁８１は、ドレン逃がしラインＬ８の流路を開閉させる。
オリフィス８２は、ドレン逃がしラインＬ８に圧力損失を発生させることで、ドレン逃がしラインＬ８をオープンタンク３０側に流通するドレンの流量を調整する。本実施形態では、オリフィス８２は、ドレン逃がしラインＬ８におけるドレン逃がし弁８１の二次側に配置される。以上のオリフィス８２によれば、ドレン逃がし弁８１が開放された場合に、ドレン逃がしラインＬ８を流通するドレンの流量を一定の流量に調整（制限）できるので、ドレン逃がしラインＬ８におけるオリフィス８２の一次側におけるドレンの圧力が大きく低下することを防げる。
【００３１】
第２補給水ラインＬ９は、オープンタンク３０と複数の貫流ボイラ１１とを接続する。この第２補給水ラインＬ９は、オープンタンク３０に貯留された水を、補給水として貫流ボイラ１１に給水する。本実施形態では、第２補給水ラインＬ９の上流側の端部は、オープンタンク３０の下部に接続される。また、第２補給水ラインＬ９の下流側は、複数の貫流ボイラ１１のそれぞれに接続されるように分岐している。
【００３２】
第２補給水ラインＬ９には、補給水ポンプ９１が配置される。補給水ポンプ９１は、オープンタンク３０から供給された補給水を昇圧して貫流ボイラ１１に供給する。補給水ポンプ９１は、第２補給水ラインＬ９における分岐部分よりも下流側に配置され、複数の貫流ボイラ１１に対応して複数設けられる。
【００３３】
制御装置１００は、制御部としてのＣＰＵ及び記憶部としてのメモリを含んで構成され、各種弁の開閉や各種ポンプの動作を制御することで、ボイラシステム１を制御する。本実施形態では、制御装置１００は、水面計２５によって検出されるドレンタンク２０の水位に基いて、ドレン逃がし弁８１の開閉を制御する。
具体的には、制御装置１００は、ドレンタンク２０の水位を制御する水位制御部１１０を含んで構成される。
【００３４】
水位制御部１１０は、水面計２５により検出される水位が第１の水位（例えば、水面計２５により検出される水位がＨＨ）を超えた場合、ドレン逃がし弁８１を開放する。これにより、ドレン供給ラインＬ３を流通するドレンの一部がドレン逃がしラインＬ８を流通してオープンタンク３０側に逃がられる。これにより、ドレンタンク２０からは、ドレン供給ラインＬ３を通じて複数の貫流ボイラ１１にドレンが供給されると共に、ドレン逃がしラインＬ８からもドレンがオープンタンク３０に逃がされるため、ドレンタンク２０の水位は低下していく。
【００３５】
また、水位制御部１１０は、ドレン逃がし弁８１が開放された状態で、水面計２５により検出される水位が第１の水位以下の第２の水位（例えば、水面計２５で検出される水位がＨ）を下回った場合、ドレン逃がし弁８１を閉止し、オープンタンク３０側へのドレンの供給を停止させる。これにより、ドレン逃がしラインＬ８からオープンタンク３０に逃がされるドレンの流通が停止されるので、ドレンタンク２０の水位の低下は停止される。
【００３６】
ここで、本実施形態では、ドレン逃がしラインＬ８を、ドレン供給ラインＬ３におけるドレンポンプ３１の二次側とオープンタンク３０とを接続して構成した。そして、このドレン逃がしラインＬ８にドレン逃がし弁８１を配置すると共に、水位制御部１１０に、ドレンタンク２０の水位に基いてドレン逃がし弁８１の開閉を制御させた。これにより、ドレンタンク２０の水位が上昇した場合（例えば、水位がＨＨを超えた場合）に、ドレン逃がし弁８１を開放することで、ドレンをオープンタンク３０側に逃がしてドレンタンク２０の水位を低下させられる。また、ドレン逃がしラインＬ８をドレン供給ラインＬ３に設けたことにより、ドレンタンク２０の一次側にドレン逃がしラインを設けた場合に比して、低温（低圧）のドレンをオープンタンク３０に逃がせる。よって、より低温（低圧）のドレンをオープンタンク３０に逃がせるので、ドレンの圧力と大気圧との差圧を小さくでき、オープンタンク３０で発生する振動及び騒音を低減できる。その結果、ドレン逃がしラインＬ８を構成する配管や、この配管の先端部に設けられるノズルを破損しにくくできる。
【００３７】
また、ドレン逃がしラインＬ８をドレン供給ラインＬ３におけるドレンポンプ３１の二次側に接続したので、ドレンポンプ３１の吐出圧を利用してドレンをオープンタンク３０側に逃がせる。よって、ドレン逃がしラインＬ８の長さが長くなった場合であっても、他にポンプ等を配置することなく安定的にドレンをオープンタンク３０に逃がせるので、ボイラシステム１の製造コストを低減できる。また、ボイラシステム１の設計の自由度を向上させられる。
【００３８】
また、ボイラシステム１を、ドレン逃がしラインＬ８に配置される流量調整部としてのオリフィス８２を含んで構成した。これにより、ドレン逃がしラインＬ８におけるオリフィスを配置した部分において圧力損失を発生させられるので、ドレン逃がし弁８１を開放した場合におけるオリフィス８２の一次側のドレンの圧力低下を抑制できる。よって、ドレンをオープンタンク３０に逃がした場合における貫流ボイラ１１へのドレンの供給圧力の低下を防げるので、ドレンを安定的に貫流ボイラ１１に供給できる。また、ドレン供給ラインＬ３と貫流ボイラ１１との間に圧力損失を生じさせるエアヒータ（図示せず）等を配置した場合であってもドレンを安定的に貫流ボイラ１１に供給できる。
【００３９】
また、オリフィス８２を、ドレン逃がしラインＬ８におけるドレン逃がし弁８１の下流側に配置した。これにより、ドレン逃がしラインＬ８におけるドレンの圧力低下を、ドレン逃がし弁８１の下流側で生じさせられる。よって、ドレンの圧力低下に起因するフラッシュ蒸気の発生によりドレン逃がし弁８１が損傷することを防げる。また、ドレンポンプ３１におけるドレンの圧力低下に起因するキャビテーションの発生を抑制できる。
【００４０】
次に、本発明の第２実施形態に係るボイラシステム１Ａについて、図２を参照しながら説明する。尚、第２実施形態の説明にあたって、同一構成要件については同一符号を付し、その説明を省略もしくは簡略化する。
【００４１】
第２実施形態のボイラシステム１Ａは、ドレン逃がしラインＬ８の構成において第１実施形態と異なる。第２実施形態では、ドレン逃がしラインＬ８には、流量調整部として流量調整弁８２Ａが配置されると共に、ドレン圧力測定部としてのドレン圧力センサ８３が配置される。
【００４２】
流量調整弁８２Ａは、開度調整可能なモータバルブにより構成される。流量調整弁８２Ａは、開度を変更することでドレン逃がしラインＬ８を流通するドレンの流量を調節する。
ドレン圧力センサ８３は、図２に示すように、ドレン逃がしラインＬ８における流量調整弁８２Ａの一次側に配置される。ドレン圧力センサ８３は、ドレン逃がしラインＬ８における流量調整弁８２Ａよりも一次側のドレンの圧力を測定する。
【００４３】
そして、第２実施形態では、水位制御部１１０Ａは、第１実施形態と同様にドレン逃がし弁８１の開閉制御を行う他、流量調整弁８２Ａの開度制御を行う。
より具体的には、水位制御部１１０Ａは、ドレン逃がし弁８１が開放されている状態において、ドレン圧力センサ８３により測定されるドレンの圧力に基いて流量調整弁８２Ａの開度を制御する。より詳細には、水位制御部１１０Ａは、ドレン圧力センサ８３により測定されるドレンの圧力が設定された目標圧力となるように流量調整弁８２Ａの開度を制御する。これにより、ドレン逃がし弁８１が開放された状態において、ドレン逃がしラインＬ８における一次側のドレンの圧力が低下しすぎることを防げる。よって、ドレンをオープンタンク３０に逃がした場合における貫流ボイラ１１へのドレンの供給圧力の低下を防げるので、ドレンを安定的に貫流ボイラ１１に供給できる。
【００４４】
以上、本発明のドレン回収システム（ボイラシステム）の好ましい各実施形態について説明したが、本発明は、上述した実施形態に制限されるものではなく、適宜変更が可能である。
例えば、第１実施形態及び第２実施形態では、ボイラシステム１，１Ａを、３台の貫流ボイラ１１により構成したが、これに限らない。即ち、ボイラシステムを、１台又は２台の貫流ボイラを含んで構成してもよく、４台以上の貫流ボイラを含んで構成してもよい。
【００４５】
また、第１実施形態及び第２実施形態では、本発明を、クローズドタイプのボイラシステム１，１Ａに適用したが、これに限らない。即ち、本発明を、ドレン供給ラインを流通するドレンを、低圧蒸気を生成するフラッシュ蒸気発生装置や温水を利用する機器に供給するドレン回収システムに適用してもよい。
【００４６】
また、第１実施形態及び第２実施形態では、ドレン逃がし弁８１を、開状態と閉状態とを切り替え可能な弁により構成したが、これに限らない。即ち、ドレン逃がし弁を、開度調整可能な弁により構成してもよい。
【００４７】
また、第１実施形態では、流量調整部を、オリフィス８２により構成したが、これに限らない。即ち、流量調整部を、例えば、圧力調整弁により構成してもよい。
【００４８】
また、第１実施形態及び第２実施形態では、水面計２５を、複数の電極棒により４つの水位を検出可能に構成したが、これに限らない。即ち、水面計を、ドレンタンク２０の水位を連続的に測定できるアナログ式の水位計により構成してもよい。
【００４９】
また、第１実施形態及び第２実施形態では、バルブとしてモータバルブ又は電磁弁を用いたが、これに限らず、バルブの種類は適宜変更してもよい。
【符号の説明】
【００５０】
１，１Ａ  ボイラシステム（ドレン回収システム）
１０  ボイラ装置（ボイラ）
２０  ドレンタンク
２３  ドレン回収弁
２５  水面計（水位測定部）
３０  オープンタンク
３１  ドレンポンプ
４０  負荷機器
８１  ドレン逃がし弁
８２  オリフィス（流量調整部）
８２Ａ  流量調整弁（流量調整部）
８３  ドレン圧力センサ（ドレン圧力測定部）
１１０，１１０Ａ  水位制御部
Ｌ２  ドレン回収ライン
Ｌ３  ドレン供給ライン
Ｌ８  ドレン逃がしライン
【図１】
2016188741.tif 000003
【図２】
2016188741.tif 000004